(57)【特許請求の範囲】
【請求項１】
電源オフ状態を記憶する記憶手段と、
前記記憶手段が記憶する前記電源オフ状態に基づいて電源オフが主電源オフかスタンバイかを検知する検知手段と、
所定の通知画面を表示する表示手段と、
前記検知手段の前記検知結果に基づいて前記表示手段に所定の前記通知画面を表示させる制御手段と、
を具備することを特徴とするデジタル放送受信装置。
【請求項２】
ソフトウェアダウンロードのスケジュールを含むトリガデータを受信する受信手段と、
前記受信手段が受信する前記トリガデータを蓄積する蓄積手段と、
前記蓄積手段が蓄積する前記トリガデータに基づいてソフトウェアダウンロードの実施期間を判定する判定手段を更に備え、
前記制御手段は、前記検知結果と前記判定結果に基づいて、前記表示手段に所定の前記通知画面を表示させることを特徴とする請求項１記載のデジタル放送受信装置。
【請求項３】
電源オフ状態を不揮発メモリへ書き込むステップと、
前記不揮発メモリの電源オフ状態に基づいて、電源オフが主電源オフかスタンバイかを検知するステップと、
前記検知結果に基づいて、所定の通知画面を表示する表示ステップと、
を有することを特徴とするデジタル放送受信方法。
【請求項４】
ソフトウェアダウンロードのスケジュールを含むトリガデータを受信するステップと、
前記トリガデータを解析するステップと、
解析されたトリガデータに基づいて、ソフトウェアダウンロードの実施期間を判定するステップと、
電源オフ状態を不揮発メモリへ書き込むステップと、
前記不揮発メモリの電源オフ状態に基づいて、電源オフが主電源オフかスタンバイかを検知するステップと、
前記判定結果と前記検知結果に基づいて、所定の通知画面を表示する表示ステップと、
を有することを特徴とするデジタル放送受信方法。
【発明の詳細な説明】
【技術分野】
【０００１】
本発明は、デジタル放送受信装置に関し、更に詳しくは、フラッシュメモリなどの不揮発メモリを搭載するとともに、更新用のソフトウェアをダウンロードし、内部のソフトウェアを更新することが可能なデジタル放送受信装置に関する。
【背景技術】
【０００２】
従来、受信装置においてソフトウェアダウンロード（以下、ＳＤＬと称す）を実施する場合、ＳＤＬの実施状況を常時ユーザに通知するデータダウンロード制御システムが公知である（例えば、特許文献１参照）。
【０００３】
上記データダウンロード制御システムは、ＳＤＬ実施時刻が来た場合に、ユーザにＳＤＬが開始される旨を通知する画面を表示する。また、ＳＤＬが後刻実施される場合に、後刻ＳＤＬが実施される旨を表示することができる。
【０００４】
また、ＳＤＬを実施する際には受信装置がスタンバイ状態であらねばならない。ここで、デジタル放送受信装置の電源状態には、電源コードが切断されているなどの主電源オフ状態と、リモコンなどから電源オフボタンを押下した結果のスタンバイ状態が存在するが、上記電源状態を検知するテレビジョン受信機の電源オン／オフ検知装置も公知である（例えば、特許文献２）。
【０００５】
上記検知装置では、テレビジョン受信機が電源オンの場合に発する信号を検知することで、受信機の電源状態を検知することができる。
【特許文献１】特開２０００−２７８６２１号公報
【特許文献２】特開２００２−１３５６８３号公報
【発明の開示】
【発明が解決しようとする課題】
【０００６】
しかしながら、上記特許文献１記載のデータダウンロード制御システムでは、ユーザにＳＤＬの開始時刻などの情報は通知するが、ユーザが主電源オフしたことでＳＤＬ実施時刻にスタンバイ常態にない場合には、ＳＤＬが実施されないのみで、主電源オフしたことが原因でＳＤＬに失敗したことをユーザは知ることができないという問題があった。
【０００７】
また、上記特許文献２記載の電源オン／オフ検知装置では、現在の受信装置の電源状態を得ることは可能だが、前回の電源オフ時に、主電源オフかスタンバイかを検知できないという問題があった。
【０００８】
本発明は、上記事情を鑑みてなされたもので、ＳＤＬ実施期間中に、前回の電源オフ状態が主電源オフ状態かスタンバイ状態かを検知し、主電源オフされたならば、ユーザに対して主電源オフしない旨を通知する方法を提供する。
【課題を解決するための手段】
【０００９】
本発明の第１の発明に係るデジタル放送受信装置は、電源オフ状態を記憶する記憶手段と、記憶手段が記憶する電源オフ状態に基づいて電源オフが主電源オフかスタンバイかを検知する検知手段と、所定の通知画面を表示する表示手段と、検知手段の検知結果に基づいて表示手段に所定の通知画面を表示させる制御手段と、を具備することを特徴とする。
【００１０】
本発明の第２の発明に係るデジタル放送受信装置は、本発明の第１の発明に係るデジタル放送受信装置の構成において、ソフトウェアダウンロードのスケジュールを含むトリガデータを受信する受信手段と、受信手段が受信するトリガデータを蓄積する蓄積手段と、蓄積手段が蓄積するトリガデータに基づいてソフトウェアダウンロードの実施期間を判定する判定手段を更に備え、制御手段は、検知結果と判定結果に基づいて、表示手段に所定の通知画面を表示させることを特徴とする。
【００１１】
本発明の第３の発明に係るデジタル放送受信方法は、電源オフ状態を不揮発メモリへ書き込むステップと、不揮発メモリの電源オフ状態に基づいて、電源オフが主電源オフかスタンバイかを検知するステップと、検知結果に基づいて、所定の通知画面を表示する表示ステップと、を有することを特徴とする。
【００１２】
本発明の第４の発明に係るデジタル放送受信方法は、ソフトウェアダウンロードのスケジュールを含むトリガデータを受信するステップと、トリガデータを解析するステップと、解析されたトリガデータに基づいて、ソフトウェアダウンロードの実施期間を判定するステップと、電源オフ状態を不揮発メモリへ書き込むステップと、不揮発メモリの電源オフ状態に基づいて、電源オフが主電源オフかスタンバイかを検知するステップと、判定結果と検知結果に基づいて、所定の通知画面を表示する表示ステップと、を有することを特徴とする。
【発明の効果】
【００１３】
本発明によれば、ＳＤＬ実施期間中には主電源オフしない旨を通知し、ＳＤＬ開始時に受信装置が主電源オフではない状態にしておくことを促すことができ、ＳＤＬの実施率を上昇させることができる。
【発明を実施するための最良の形態】
【００１４】
（実施の形態１）
図１は、本発明の実施の形態１にかかるデジタル放送受信装置を示すブロック図である。デジタル放送受信装置１００は、受信部１０１と、ＴＳ処理部１０２と、制御部１０３と、データ蓄積部１０４と、ＳＤＬ実施期間判定部１０５と、ＯＳＤ表示制御部１０６と、電源制御部１０７と、主電源オフ検知部１０８と、不揮発メモリ１０９と、ＡＶ処理部１１０及びＡＶ出力部１１１から構成される。
【００１５】
受信部１０１は、受信したデジタル放送波に復調処理を行い、ＴＳとしてＴＳ処理部１０２へ出力する。
【００１６】
ＴＳ処理部１０２は、受信部１０１から入力されたＴＳをＳＤＬトリガデータとソフトウェア本体及びＡＶコンテンツに分離する。ＳＤＬトリガデータとは、ＳＤＬに先立って送信されるＳＤＬの開始時間帯などを含むデータである。そして、制御部１０３から通知された番組に含まれるＡＶコンテンツをＡＶ処理部１１０へ出力する。また、ソフトウェア本体及びＳＤＬトリガデータをデータ蓄積部１０４へ出力する。
【００１７】
制御部１０３は、デジタル放送受信装置１００が選局している番組をＴＳ処理部１０２に通知する。また、ＳＤＬ実施期間判定部１０５へＳＤＬ実施期間判定要求を出力する。さらに、主電源オフ検知部１０８へ前回電源オフ状態検知要求を出力する。そして、データ処理部１０４に蓄積されているＳＤＬトリガデータと、ＳＤＬ実施期間判定部１０５から入力された判定結果と、主電源オフ検知部１０８から入力された検知結果、及び電源制御部１０７から入力された現在電源状態通知要求に基づいて、ＯＳＤ表示制御部１０６へ主電源オフ警告用ＯＳＤ作成要求を出力する。また、電源制御部１０７から入力されたスタンバイ移行指示に基づき、受信装置１００をスタンバイ状態へ移行させる。
【００１８】
データ蓄積部１０４は、ＴＳ処理部１０２から入力されたＳＤＬトリガデータとソフトウェアを蓄積する。
【００１９】
ＳＤＬ実施期間判定部１０５は、制御部１０３からＳＤＬ実施期間判定要求が入力された場合に、データ蓄積部１０４が蓄積したＳＤＬトリガデータに基づき、現在がＳＤＬ実施期間かどうかの判定を行い、判定結果を制御部１０３へ出力する。
【００２０】
ＯＳＤ表示制御部１０６は、制御部１０３から主電源オフ警告用ＯＳＤ作成要求が入力された場合に、主電源オフ警告用ＯＳＤ表示用データを作成してＡＶ出力部１１０へ出力する。
【００２１】
電源制御部１０７は、ユーザのリモコン（図示せず）操作などから入力されるスタンバイ移行指示に基づき、不揮発メモリ１０９へスタンバイによる電源オフ情報を記録する。また、スタンバイ移行指示が入力された場合、もしくは制御部１０３から現在電源状態通知要求が入力された場合に、スタンバイ移行指示を制御部１０３へ出力する。
【００２２】
主電源オフ検知部１０８は、制御部１０３から入力された前回電源オフ状態検知要求に基づき、不揮発メモリ１０９から電源制御部１０７が記録したスタンバイによる電源オフ情報を読み出し、前記スタンバイによる電源オフ情報に基づき前回電源オフ状態の検知を行い、その検知結果を制御部１０３へ出力する。
【００２３】
不揮発メモリ１０９は、電源制御部１０７から書き込まれるスタンバイによる電源オフ情報を記録し、その情報は主電源オフ検知部１０８によって読み出される。
【００２４】
ＡＶ処理部１１０は、ＴＳ処理部１０２から入力されたＡＶコンテンツをデジタルの映像データ及び音声データとしてＡＶ出力部１１１へ出力する。
【００２５】
ＡＶ出力部１１１は、ＡＶ処理部１１０から入力された映像データと、ＯＳＤ表示制御部１０６から入力されたＯＳＤ表示用データとを合成し、アナログデータへ変換した後、映像信号としてモニタなどの表示装置へ出力する。また、ＡＶ処理部１１０から入力された音声データを、アナログデータへ変換した後、音声信号としてスピーカなどの音声出力装置へ出力する。
【００２６】
次に、本発明の実施の形態１における主電源オフ検知した場合に主電源オフ警告パネルを表示する処理について、図２と図３に示すフローチャートを用いて説明する。上記処理は、図２に示す電源オフ時の処理と図３に示す電源オン時の処理に大きく分けられる。
【００２７】
まず、電源オフ時の処理について、図２に示すフローチャートを用いて説明する。電源制御部１０７は、ユーザのリモコン（図示せず）操作などから入力されるスタンバイ移行指示を受けた場合に（Ｓ１０１）、不揮発メモリ１０９へスタンバイによる電源オフ情報を書き込む（Ｓ１０２）。上記スタンバイによる電源オフ情報は、例えば、決められた不揮発メモリのアドレスに１を書き込む。そして、電源制御部１０７は、制御部１０３へスタンバイ移行指示を出力し、制御部１０３は受信装置１００をスタンバイ状態へ移行させる（Ｓ１０３）。一方、スタンバイによる電源オフではなく、電源ケーブルを切断するなどの主電源オフ処理を考えた場合、主電源オフはいつどのような状態で行われるのか予測できず、突然に受信装置１００に電源が供給されず受信装置１００が電源オフになることを意味する。すなわち、主電源オフが行われた場合、図２のフローチャートに示す処理は行うことができない。前記結果によって、不揮発メモリ１０９には、スタンバイによる電源オフが行われた場合に、例えば１という情報が書き込まれ、主電源オフが行われた場合には、情報の書き込みは行われない。
【００２８】
次に、電源オン時の処理について、図３に示すフローチャートを用いて説明する。電源オン時には、受信部１０１においてデジタル放送波を受信し、ＴＳ処理部１０２を介してＳＤＬトリガデータを抽出する（Ｓ２０１）。ＳＤＬ実施期間判定部１０５は、抽出したＳＤＬトリガデータを解析し（Ｓ２０２）、現在がＳＤＬの実施期間中かどうかを判定し（Ｓ２０３）、制御部１０３へ通知する。ここで、ＳＤＬの実施期間とは、ＳＤＬが複数の日程で行われる予定の場合に、最初のＳＤＬ開始時刻から最後のＳＤＬ終了時刻を意味する。
【００２９】
制御部１０３は、判定結果が「ＳＤＬ実施期間中」であった場合（Ｓ２０４で「ＹＥＳ」）、主電源オフ検知部１０８へ前回電源状態検知要求を出力する。そして、主電源オフ検知部１０８は、制御部１０３からの前回電源状態検知要求に基づいて、不揮発メモリ１０９からスタンバイによる電源オフ情報を読み出す（Ｓ２０５）。そして、読み出したスタンバイによる電源オフ情報に基づき、前回電源オフ状態がスタンバイによる電源オフか主電源オフによるものかを検知する（Ｓ２０６）。例えば、不揮発メモリ１０９に書き込まれているスタンバイによる電源オフ情報が１を意味する場合に、１が読み出せたならば、前回電源オフ状態がスタンバイによるものであることを検知できる。一方で、１以外の情報が読み出され場合には、前回スタンバイによる電源オフではなく、主電源オフが行われたことが検知できる。検知結果が「主電源オフ」であった場合（Ｓ２０６で「ＹＥＳ」）、ＯＳＤ表示制御部１０６を介して、ＡＶ出力部１１０に主電源オフ警告パネルを表示させる（Ｓ２０７）。ここで、主電源オフ警告パネルの表示画面を図４に示す。
【００３０】
一方、ＳＤＬ実施期間判定が「ＳＤＬ実施期間ではない」場合（Ｓ２０４で「ＮＯ」）、もしくは前回電源オフ状態が「スタンバイによる電源オフ」であった場合に（Ｓ２０６で「ＮＯ」）、電源制御部１０７は不揮発メモリ１０９に書き込まれているスタンバイによる電源オフ情報をクリアする（Ｓ２０８）。例えば、１がスタンバイによる電源オフ情報を意味する場合に、０を書き込むことで、前回電源オフ状態をリセットし、次の電源オフに備える。
【００３１】
本実施の形態１によれば、ＳＤＬの実施期間中に主電源オフされた場合、ユーザに対して主電源オフしない旨の警告を行うことができる。前記結果として、ＳＤＬ開始時刻に主電源が切断されていて、ＳＤＬが実施できない事態を避けることが可能となり、ＳＤＬの実施率が向上する。
【産業上の利用可能性】
【００３２】
本発明のデジタル放送受信装置は、主電源オフを検知することで、ＳＤＬ実施期間中の主電源オフを避けるようユーザに促すことができ、ネットワークを介してソフトウェアのバージョンアップが可能なソフトウェアダウンロード機能を有する機器に関して有用である。
【図面の簡単な説明】
【００３３】
【図１】本発明の実施の形態１におけるデジタル放送受信装置の構成を示すブロック図
【図２】本発明の実施の形態１における主電源オフ警告パネル表示処理のうち、電源オフ時の処理を示すフローチャート
【図３】本発明の実施の形態１における主電源オフ警告パネル表示処理のうち、電源オン時の処理を示すフローチャート
【図４】本発明の実施の形態１における主電源オフ警告パネルの表示画面を示す図
【符号の説明】
【００３４】
１００    デジタル放送受信装置
１０１    受信部
１０２    ＴＳ処理部
１０３    制御部
１０４    データ蓄積部
１０５    ＳＤＬ実施期間判定部
１０６    ＯＳＤ表示制御部
１０７    電源制御部
１０８    主電源オフ検知部
１０９    不揮発メモリ
１１０    ＡＶ処理部
１１１    ＡＶ出力部
【図１】
0004605034.tif 000002
【図２】
0004605034.tif 000003
【図３】
0004605034.tif 000004
【図４】
0004605034.tif 000005